(57)【要約】【課題】  テレビジョン本体が水平方向へ回動したときに、障害物との干渉を最小限に抑えることができ、テレビジョン本体及び障害物の損傷を防ぐことができる。【解決手段】  テレビジョン本体１の両側角部に作動バー２が縦向きに設けられ、作動バーからテレビジョン本体の両側角部に形成された孔部１ａに向けて内側に鍔部７ａを有するボス７が突出形成され、テレビジョン本体の孔部の奥側に角部を跨ぐ板状部８が設けられ、板状部とボスの鍔部との間にボスを外側向きに付勢するスプリング９が配置され、作動バーの上下方向少なくとも１箇所にセンサ１０が設けられ、このセンサは、作動バーのボスの両側に設けられた接点端子１１、１２とこの接点端子に対向するようにテレビジョン本体の孔部の孔壁に設けられた接点端子１３、１４と、ボスの先端に設けられた接点端子１５と接点端子に対向するように板状部に設けられた接点端子１６とで構成されている。【選択図】  図２
2007295379.tif 000002
【特許請求の範囲】
【請求項１】
固定台にモータの駆動によって水平方向に回動自在に支持され、前面に表示部を有するテレビジョン本体を備えた薄型テレビにおいて、前記テレビジョン本体の両側角部に作動バーが縦向きに設けられ、この作動バーから前記テレビジョン本体の両側角部に形成された孔部に向けて内側に鍔部を有するボスが突出形成されると共に前記テレビジョン本体の前記孔部の奥側に角部を跨ぐ板状部が設けられ、この板状部と前記ボスの鍔部との間にボスを外側向きに付勢するスプリングが配置されており、前記作動バーの上下方向少なくとも１箇所にセンサが設けられていて、このセンサは、前記作動バーの前記ボスの両側に設けられた接点端子とこの接点端子に対向するように前記テレビジョン本体の孔部の孔壁に設けられた接点端子と、前記ボスの先端に設けられた接点端子とこの接点端子に対向するように前記板状部に設けられた接点端子とから構成され、対向する各接点端子間には隙間が設けられており、前記テレビジョン本体の水平方向の回転中に前記作動バーが障害物に接触した際に、前記作動バーが作動して前記各対向する接点端子のいずれかが接触し、前記テレビジョン本体を回動する前記モーターの駆動を停止するようにしたことを特徴とする薄型テレビ。
【請求項２】
固定台にモータの駆動によって水平方向に回動自在に支持され、前面に表示部を有するテレビジョン本体を備えた薄型テレビにおいて、前記テレビジョン本体の両側角部に、前記テレビジョン本体が水平方向に回転する際に障害物に前記両側角部が接触したときにこの接触を検知するセンサーが設けられており、このセンサーによる検知によって前記テレビジョン本体を回動する前記モーターの駆動を停止するようにしたことを特徴とする薄型テレビ。
【請求項３】
前記センサーは、前記テレビジョン本体の両側角部に設けられた略Ｌ字形の内側接点端子と略Ｌ字形の外側接点端子からなり、前記外側接点端子の外側に軟質カバーが取付けられ、前記テレビジョン本体の両側角部の前記軟質カバーが前記テレビジョン本体の水平方向の回転中に障害物に接触したときに内側に湾曲されると共に前記外側の接点端子が内側に湾曲して前記内側の接点端子に接触して前記テレビジョン本体を回動する前記モーターの駆動を停止するようにした請求項２に記載の薄型テレビ。
【発明の詳細な説明】
【技術分野】
【０００１】
本発明は、固定台にモータの駆動によって水平方向に回動自在に支持され、前面に表示部を有するテレビジョン本体を備えた薄型テレビに関するものである。
【背景技術】
【０００２】
第１の従来技術を図４（ａ）（ｂ）（ｃ）に示す。この従来のテレビ装置は、図４（ａ）（ｂ）（ｃ）に示すように、支持体１０２に回動可能に取着された表示部１０１を支持体１０２に対して上下及び横方向の夫々へ回動可能とし、表示部１０１を上下方向へ回動させる第１の電動モータ１０３と、表示部１０１を横方向へ回動させる第２の電動モータ１０４と、リモートコントローラＡから送信される表示部の角度調整信号を受信して電動モータ１０３、１０４を駆動／停止制御する制御器１０５とを備える構成とし、リモートコントローラＡの手動操作で表示部１０１の回動角度を上下及び横方向の夫々へ調整可能とした。（例えば、特許文献１参照）。
【０００３】
ところが、これにおいては、第１の電動モータ１０３が駆動して表示部１０１が横方向に回転するときに、この表示部１０１が障害物に接触したときに表示部１０１が損傷する虞があるという問題があった。更に、この障害物に接触した際にこれを検知するセンサーが設けられていないものであった。
【０００４】
第２の従来技術を図５（ａ）（ｂ）（ｃ）に示す。この従来の回転台を具えた画像表示装置ユニットは、図５（ａ）（ｂ）（ｃ）に示すように、回転台２０１は、固定台２０２上に回転片２０３を回転自在に設け、回転片２０３はモータＭで駆動され、モータＭは制御手段に接続されて回転駆動を制御される。固定台２０２又は回転片２０３の何れか一方には、停止されるべき位置に応じて、被検出部が設けられ、他方には被検出部を検出するセンサ手段が設けられ、回転片２０３の回転方向に沿う被検出部の中央部から端部までの長さは、回転片２０３の慣性回転量に相当する長さＬに形成される。センサ手段は、回転片２０３の回転時に、被検出部の端部を検出すると、制御手段に対しモータＭの回転停止を促す信号を送る。（例えば、特許文献２参照）。
【０００５】
ところが、これにおいては、回転片２０３に載置されるテレビジョン受像機（図示略）が回転した際に、このテレビジョン受像機の角部が障害物に接触したときに、このテレビジョン受像機が損傷する虞があるという問題があった。
【０００６】
第３の従来技術を図６、図７（ａ）（ｂ）、図８（ａ）（ｂ）に示す。この従来のディスプレイ用無電動回転機構は、図６、図７（ａ）（ｂ）、図８（ａ）（ｂ）に示すように、台座３０３に立設固定したスタンド支柱３０６にディスプレイ３０１を装設してなる構成において、スタンド支柱３０６内にて、ディスプレイ３０１を支持する回転軸３０８をベアリング３０７ａ、３０７ａで回転自在に支承すると共に電動モータ３１２の駆動軸に結合したピニオン３１３と回転軸３０８に結合された大径ギア３１４とを歯合してなる水平回転機構３０２を構成することにより、ディスプレイ３０１を水平方向に回転可能にした。また、支持枠３２２に固設された減速機３３０に電動モータ３３１を接続し、減速機の駆動軸に結合された回転アーム３３２とを支持プレート３２６に回転自在に結合された連結アーム３３３とを軸３３４で回転自在に結合したことにより、ディスプレイ３０１をチルト方向に可動可能にした。（例えば、特許文献３参照）。
【０００７】
ところが、これにおいては、回転軸３０８で回転されるディスプレイ３０１の角部が障害物に接触したときに、このディスプレイが損傷する虞があるという問題があった。
【０００８】
第４の従来技術を図９、図１０、図１１に示す。この従来のディスプレイ用電動回転機構は、図９、図１０、図１１に示すように、円形台座４０７の外周に多数の剛球４０９を介して回転自在に嵌合された円周枠４１０と円周枠の上部に固定された回転台４１１とを有し、回転台に内蔵された大径ギア４１４と電動モータ４１２の出力軸の小径ギア４１３とを歯合した構成により回転台４１１を水平方向に回転可能にし、支持枠４２２に固設された軸受け４２５にディスプレイ４０１の背面に固定された支持プレート４２６の支持アーム４２７を回転自在に軸支すると共に、支持枠に固設された減速機４３０に電動モータ４３１を接続し、減速機の出力軸に結合された回転アーム４３２と支持プレート３２６に回動自在に結合された連結アーム４３３とを軸４３４で回転自在に結合したことにより、ディスプレイ４０１をチルト方向に可動可能にした。（例えば、特許文献４参照）。
【０００９】
ところが、これにおいては、ディスプレイ４０１が水平方向に回転した際に、角部が障害物に接触すると、このディスプレイ４０１が損傷する虞があるという問題があった。
【００１０】
第５の従来技術を図１２、図１３、図１４に示す。この従来の液晶テレビジョン受信機は、図１２、図１３、図１４に示すように、液晶テレビジョン受像機本体５０１と、この本体５０１に対して回動自在に取付けられ、液晶パネル５２０を備える表示部５０２と、この表示部５０２を回転駆動する駆動部５１０と、この駆動部５１０を制御するリモートコントロール装置５０４とを備え、駆動部５１０は駆動モータ及び減速手段を含み、駆動モータの回転は減速手段を介して表示部５０２に伝達され、減速手段はスリップ機構を含んでいる。
【００１１】
ところが、これにおいては、液晶テレビジョン受像機本体５０１が障害物に接触したときに、この本体５０１が損傷する虞があるという問題があった。
【特許文献１】特開２００６−５７９５号公報
【特許文献２】特開２００５−１０１９０７号公報
【特許文献３】特開２００４−３０４６７９号公報
【特許文献４】特開２００４−２５８０５５号公報
【特許文献５】特開平２−１６５７８５号公報
【発明の開示】
【発明が解決しようとする課題】
【００１２】
本発明は、上記従来の問題に鑑みてなされたものりであって、テレビジョン本体が水平方向へ回動したときに、障害物との干渉を最小限に抑えることができ、テレビジョン本体及び障害物の損傷を防ぐことができる薄型テレビを提供することを目的としている。
【課題を解決するための手段】
【００１３】
本発明は、上記課題を解決するために提案されたものであって、請求項１に記載の発明は、固定台にモータの駆動によって水平方向に回動自在に支持され、前面に表示部を有するテレビジョン本体を備えた薄型テレビにおいて、前記テレビジョン本体の両側角部に作動バーが縦向きに設けられ、この作動バーから前記テレビジョン本体の両側角部に形成された孔部に向けて内側に鍔部を有するボスが突出形成されると共に前記テレビジョン本体の前記孔部の奥側に角部を跨ぐ板状部が設けられ、この板状部と前記ボスの鍔部との間にボスを外側向きに付勢するスプリングが配置されており、前記作動バーの上下方向少なくとも１箇所にセンサが設けられていて、このセンサは、前記作動バーの前記ボスの両側に設けられた接点端子とこの接点端子に対向するように前記テレビジョン本体の孔部の孔壁に設けられた接点端子と、前記ボスの先端に設けられた接点端子とこの接点端子に対向するように前記板状部に設けられた接点端子とから構成され、対向する各接点端子間には隙間が設けられており、前記テレビジョン本体の水平方向の回転中に前記作動バーが障害物に接触した際に、前記作動バーが作動して前記各対向する接点端子のいずれかが接触し、前記テレビジョン本体を回動する前記モーターの駆動を停止するようにしたことを特徴としている。
【００１４】
請求項２に記載の発明は、固定台にモータの駆動によって水平方向に回動自在に支持され、前面に表示部を有するテレビジョン本体を備えた薄型テレビにおいて、前記テレビジョン本体の両側角部に、前記テレビジョン本体が水平方向に回転する際に障害物に前記両側角部が接触したときにこの接触を検知するセンサーが設けられており、このセンサーによる検知によって前記テレビジョン本体を回動する前記モーターの駆動を停止するようにしたことを特徴としている。
【００１５】
請求項３に記載の発明は、請求項２に記載の発明において、前記センサーは、前記テレビジョン本体の両側角部に設けられた略Ｌ字形の内側接点端子と略Ｌ字形の外側接点端子からなり、前記外側接点端子の外側に軟質カバーが取付けられ、前記テレビジョン本体の両側角部の前記軟質カバーが前記テレビジョン本体の水平方向の回転中に障害物に接触したときに内側に湾曲されると共に前記外側の接点端子が内側に湾曲して前記内側の接点端子に接触して前記テレビジョン本体を回動する前記モーターの駆動を停止するようにした。
【発明の効果】
【００１６】
請求項１に記載の発明によれば、モーターの駆動により水平方向へ回動されたテレビジョン本体が、その角部が障害物に接触すると、この角部に設けられた作動バーが障害物への接触により横向きに作動する。この作動バーの作動によって、センサーを構成する接点端子が対向する接点端子に接触してモーターの駆動が停止されるから、テレビジョン本体の水平方向への回動が停止される。従って、テレビジョン本体の水平方向への回動が停止されることによって、テレビジョン本体と障害物との干渉を最小限に抑えることができ、テレビジョン本体と障害物の損傷を防ぐことができる。
【００１７】
請求項２に記載の発明によれば、モーターの駆動により水平方向へ回動されたテレビジョン本体の角部が障害物に接触しようとすると、センサーによってこの接触が検知されてモーターの駆動が停止される。従って、テレビジョン本体の水平方向への回動が停止されることによって、テレビジョン本体と障害物との干渉を最小限に抑えることができ、テレビジョン本体と障害物の損傷を防ぐことができる。
【００１８】
請求項３に記載の発明によれば、モーターの駆動により水平方向へ回動されたテレビジョン本体の角部が障害物に接触すると、軟質カバーが湾曲すると共に外側の接点端子が湾曲して内側の接点端子に接触する。従って、この外側の接点端子と内側の接点端子の接触によりモーターの駆動が停止される。従って、テレビジョン本体の水平方向への回動が停止されることによって、テレビジョン本体と障害物との干渉を最小限に抑えることができ、テレビジョン本体と障害物の損傷を防ぐことができる。また、軟質カバーと外側の接点端子と内側の接点端子だけの構成であるから、構造を簡単化することができる。更に、外側の接点端子は軟質カバーに保護されているから、損傷することを防ぐことができる。
【発明を実施するための最良の形態】
【００１９】
以下、本発明に係る薄型テレビの実施の形態について、図を参照しつつ説明する。
【００２０】
図１は本発明の薄型テレビの実施形態を示すテレビジョン本体の水平方向への回動状態を示す斜視図、図２は図１に示す薄型テレビの水平方向への回動による障害物への接触状態を示し、（ａ）はその平面図、（ｂ）はその要部であるセンサー部分の横断面図、（ｃ）はセンサーによってテレビジョン本体の角部が障害物に接触した際のセンサーの作動状態を示す横断面図である。
【００２１】
本実施形態の薄型テレビは、図１に示すように、テレビジョン本体１の四角部がカットされた形状とされ、この四角部に作動レバー２が作動可能且つ縦向きに配置されている。このテレビジョン本体１は固定台３上にモーター４とギヤ群５と回転軸６を介してモーター４の駆動により水平方向へ回動されるようになっている。また、図２（ａ）に示すように、テレビジョン本体１の四角部のいずれかの作動レバー２が、テレビジョン本体１の水平方向への回動の際に、障害物Ｓの表面に接触するようになっている。更に、図２（ｂ）に示すように、作動バー２からテレビジョン本体１の角部に形成された孔部１ａにむけて内側に鍔部７ａを有するボス７が突出形成されている。また、テレビジョン本体１の孔部１ａの奥側に角部を跨ぐ板状部８が設けられ、この板状部８とボス７の鍔部７ａとの間にボス７を外側に向けて付勢するスプリング９が配置されている。作動バー２には上下方向少なくとも１箇所にセンサ１０が設けられている。このセンサ１０は、作動バー２のボス７の両側に設けられた接点端子１１、１２とこの接点端子１１、１２に対向するようにテレビジョン本体１の孔部１ａの孔壁に設けられた接点端子１３、１４と、ボス７の先端に設けられた接点端子１５とこの接点端子１５に対向するように板状部８に設けられた接点端子１６とから構成されている。また、対向する各接点端子１１、１２、１３、１４、１５、１６との間には隙間が設けられている。
【００２２】
テレビジョン本体１がモーター４の駆動により回転している途中に、作動レバー２が障害物Ｓに接触すると、図１（ｃ）に示すように、作動レバー２が障害物Ｓによって押されて作動すると、ボス７側の接点端子１１とテレビジョン本体１の孔部１ａ側の接点端子１３とが接触して、モーター４の駆動が停止され、テレビジョン本体１の回転が停止する。また、作動レバー２の動きによっては、ボスの他方側の接点端子１２とテレビジョン本体１の孔部の他方側の接点端子１４との接触やボス１２の先端の接点端子１５と板状部８の接点端子１６とが接触することもある。
【００２３】
従って、本実施形態によれば、作動バー２の作動によって、センサー１０を構成する接点端子１１、１２又は１４が対向する接点端子１３、１４又は１５に接触してモーター４の駆動が停止されるから、テレビジョン本体１の水平方向への回動が停止される。従って、テレビジョン本体１の水平方向への回動が停止されることによって、テレビジョン本体１と障害物Ｓとの干渉を最小限に抑えることができ、テレビジョン本体１と障害物Ｓの損傷を防ぐことができる。
【００２４】
図３は別例のセンサーの構造を示す横断面図である。
【００２５】
この別例のセンサーは、図３に示すように、テレビジョン本体１の両側角部に略Ｌ字形の内側接点端子１７と略Ｌ字形の外側接点端子１８とが設けられ、外側接点端子１８の外側にゴムや樹脂などからなる略Ｌ字形の軟質カバー１９が取付けられている。テレビジョン本体１の水平方向への回転中に軟質カバー１９が障害物Ｓに接触すると、この軟質カバー１９が湾曲して外側接点端子１８も湾曲してこの外側接点端子１８が内側接点端子１７に接触する。この接触によりテレビジョン本体１を回転するモーター４が停止してテレビジョン本体１がそれ以上の回転を停止する。従って、テレビジョン本体１の水平方向への回動が停止されることによって、テレビジョン本体１と障害物Ｓとの干渉を最小限に抑えることができ、テレビジョン本体１と障害物Ｓの損傷を防ぐことができる。また、軟質カバー１９と外側接点端子１８と内側接点端子１７だけの構成であるから、構造を簡単化することができる。更に、外側接点端子１８は軟質カバー１９に保護されているから、損傷することを防ぐことができる。
【００２６】
尚、センサーとしては、上記した接点端子に限らず、テレビジョン本体１の両側角部に位置された光センサーなども適用できることは勿論である。
【図面の簡単な説明】
【００２７】
【図１】本発明の薄型テレビの実施形態を示すテレビジョン本体の水平方向への回動状態を示す斜視図である。
【図２】図１に示す薄型テレビの水平方向への回動による障害物への接触状態を示し、（ａ）はその平面図、（ｂ）はその要部であるセンサー部分の横断面図、（ｃ）はセンサーによってテレビジョン本体の角部が障害物に接触した際のセンサーの作動状態を示す横断面図である。
【図３】別例のセンサーの構造を示す横断面図である。
【図４】従来のテレビ装置を示し、（ａ）はその側面図、（ｂ）はその平面図、（ｃ）はそのブロック図である。
【図５】回転台を具えた画像表示装置ユニットを示し、（ａ）はその部分断面図、（ｂ）はその部分分解斜視図、（ｃ）はその回転片の回転時に、突起によりスイッチが押し込まれる状態を示す側面断面図である。
【図６】従来のディスプレイ用電動回転機構を液晶テレビに適用した後部斜視図である。
【図７】同機構を示し、（ａ）はその正面図、（ｂ）はその平面図である。
【図８】同機構を示し、（ａ）はその水平断面図、（ｂ）はその縦断面図である。
【図９】従来の別例のディスプレイ用電動回転機構を示す後部斜視図である。
【図１０】同機構の斜視図である。
【図１１】同機構の一部切り欠きした平面図である。
【図１２】従来の液晶テレビジョン受像機を示す斜視図である。
【図１３】同受像機の側断面図である。
【図１４】同受像機の内部構造を示す斜視図である。
【符号の説明】
【００２８】
Ｓ        障害物
１        テレビジョン本体
１ａ      孔部
２        作動レバー
３        固定台
４        モーター
５        ギヤ群
６        回転軸
７        ボス
７ａ      鍔部
８        板状部
９        スプリング
１０      センサ
１１      接点端子
１２      接点端子
１３      接点端子
１４      接点端子
１５      接点端子
１６      接点端子
１７      内側接点端子
１８      外側接点端子
１９      軟質カバー
【図１】
2007295379.tif 000003
【図２】
2007295379.tif 000004
【図３】
2007295379.tif 000005
【図４】
2007295379.tif 000006
【図５】
2007295379.tif 000007
【図６】
2007295379.tif 000008
【図７】
2007295379.tif 000009
【図８】
2007295379.tif 000010
【図９】
2007295379.tif 000011
【図１０】
2007295379.tif 000012
【図１１】
2007295379.tif 000013
【図１２】
2007295379.tif 000014
【図１３】
2007295379.tif 000015
【図１４】
2007295379.tif 000016